(57)【要約】【目的】葬儀に際し故人を深く理解させ、偲んでもらうと共に葬儀場に於ける葬儀進行担当者の手間を少なくした葬儀用装置体及び葬儀方法の提供。【構成】本体１、キーボード２、マウス３、ディスプレイ４、スピーカ体５、音声入力部材体６、スキャナ７及び本体１にコントロールソフトウェアを備えたホストパソコン装置体９を設け、ディスプレイ４は生前の故人の趣味の画像１０、故人の遺影１１等を入れた固定映像１６を表示するように形成すると共にスピーカ体５は葬儀の雰囲気を助長する葬儀用効果音の音声を発するように形成し、ホストパソコン装置体９と電話回線を介して接続されて葬儀場に設置する葬儀場用ディスプレイ１７と葬儀場用スピーカ体１８とを設け、葬儀場用ディスプレイ１７はディスプレイ４と同一の固定映像１６を表示し、葬儀場用スピーカ体１８はスピーカ体５と同一の音声を発するようにしたことを特徴としている。【選択図】　　　　　図３
2004016382.tif 000002
【特許請求の範囲】
【請求項１】
本体１、キーボード２、マウス３、ディスプレイ４、スピーカ体５、マイク等の音声入力部材体６、スキャナ７及び本体１にコントロールソフトウェアを備えたホストパソコン装置体９を設け、且つディスプレイ４は生前の故人の趣味の画像１０又は画像１０内に故人の遺影１１等を入れた固定映像１６を表示するように形成すると共にスピーカ体５は葬儀の雰囲気を助長する葬儀用効果音の音声を発するように形成し、更にホストパソコン装置体９と電話回線を介して接続されて葬儀場に設置する葬儀場用ディスプレイ１７と葬儀場用スピーカ体１８とを設け、且つ又葬儀場用ディスプレイ１７はディスプレイ４と同一の固定映像１６を表示し、葬儀場用スピーカ体１８はスピーカ体５と同一の音声を発するようにすると共に音声を消音又は小音とすることができるようにしたことを特徴とする葬儀用装置体。
【請求項２】
ディスプレイ４に故人の履歴・業績等の経歴を記載した経歴文章１３が繰返し流れるように表示されると共に葬儀場用ディスプレイ１７にディスプレイ４と同一の経歴文章１３を表示されるように形成したことを特徴とする請求項１記載の葬儀用装置体。
【請求項３】
ディスプレイ４に喪主等の遺族のお礼の言葉を記載したお礼文章１４が繰返し流れるように表示されると共に葬儀場用ディスプレイ１７にディスプレイ４と同一のお礼文章１４が表示されるように形成したことを特徴とする請求項１記載の葬儀用装置体。
【請求項４】
マイク等の音声入力部材体６を介しての経歴文章１３の文言を録音すると共に経歴文章１３と同文で音声入力部材体６を介して本体１に録音した音声がディスプレイ４の経歴文章１３の表示に沿ってスピーカ体５より繰返し再生され、更に葬儀場用ディスプレイ１７にディスプレイ４と同一の経歴文章１３を表示されると共に葬儀場用スピーカ体１８はスピーカ体５と同一の音声を発するように形成したことを特徴とする請求項２記載の葬儀用装置体。
【請求項５】
マイク等の音声入力部材体６を介してのお礼文章１４の文言を録音すると共にお礼文章１４と同文で音声入力部材体６を介して本体１に録音した音声がディスプレイ４のお礼文章１４の表示に沿ってスピーカ体５より繰返し再生され、更に葬儀場用ディスプレイ１７にディスプレイ４と同一のお礼文章１４を表示されると共に葬儀場用スピーカ体１８はスピーカ体５と同一の音声を発するように形成したことを特徴とする請求項３記載の葬儀用装置体。
【請求項６】
コントロールソフトウェアを装着する本体１、キーボード２、マウス３、ディスプレイ４、スピーカ体５、マイク等の音声入力部材体６及びスキャナ７を備えたホストパソコン装置体９を設ける手段と、ホストパソコン装置体９の本体１にキーボード２、マウス３、スキャナ７の操作に伴い生前の故人の趣味の画像１０又は画像１０内に故人の遺影１１等を入れた固定映像１６を入力する手段と、故人の履歴・業績等の経歴が繰返し流れるように表示される経歴文章１３又は喪主等の遺族のお礼の言葉が繰返し流れるように表示されるお礼文章１４の何れかがディスプレイ４に表示されるように入力する手段と、マイク等の音声入力部材体６の操作に伴い葬儀の雰囲気を助長する葬儀用効果音の音声がスピーカ体５より発することができるように入力する手段と、ディスプレイ４の表示と同一の固定映像１６、経歴文章１３、お礼文章１４とを表示する葬儀場用ディスプレイ１７とスピーカ体５と同一の音声を発する葬儀場用スピーカ体１８とを電話回線を介してホストパソコン装置体９と接続する手段と、ホストパソコン装置体９の操作に伴いディスプレイ４に表示されている固定映像１６、経歴文章１３、お礼文章１４の表示切替えと共に葬儀場用ディスプレイ１７に表示されている固定映像１６、経歴文章１３、お礼文章１４の表示切替えを行う手段と、スピーカ体５及び葬儀場用スピーカ体１８から発する音声を消音又は小音とする手段とより成ることを特徴とする葬儀方法。
【発明の詳細な説明】
【０００１】
【産業上の利用分野】
この発明は、葬儀の雰囲気を助長し、更に葬儀に際し故人を今まで以上に深く理解させ、偲んでもらうと共に葬儀場に於ける葬儀進行担当者の手間を少なくして葬儀を支障なく行うことができるようにしたにした葬儀用装置体及び葬儀方法に関するものである。
【０００２】
【従来の技術】
従来、図５に図示したように葬儀の祭壇に設置された１つのスクリーン２０と、故人の遺影をスクリーン２０に映写するスライド映写装置と故人の生前の活動を撮影したビデオ画像をスクリーン２０に映写するビデオ映写装置とを備えてスライド映像及びビデオ映像を映写する映写装置２１を設け、これら２種の映写装置２１による映写を葬儀の進行に合わせて切り換える切替手段を備え、葬儀の進行に伴いスライド映写とビデオ映写を切り換えるようにしたものは知られている
（特許第２９１２５９７号公報参照）。
【０００３】
【発明が解決しようとする問題点】
ところで、従来の図５に図示した葬儀の祭壇に設置された１つのスクリーン２０と、故人の遺影をスクリーン２０に映写するスライド映写装置と故人の生前の活動を撮影したビデオ画像をスクリーン２０に映写するビデオ映写装置とを備えてスライド映像及びビデオ映像を映写する映写装置２１を設け、これら２種の映写装置２１による映写を葬儀の進行に合わせて切り換える切替手段を備え、葬儀の進行に伴いスライド映写とビデオ映写を切り換えるようにしたものは、スライド映写とビデオ映写を択一的にスクリーンに映写し参列者に故人を印象付けるものであり、又故人との面識のない参列者でも故人を理解し、身近に感じることができるようにしたものである。
【０００４】
しかし、参列者は告別式よりも通夜式の参列が多いものであり、そのほとんどがお焼香をしてお清めの数十分の参列である。
【０００５】
即ち葬儀は、通常は通夜式、告別式の２日間によるものが多く、通夜式では参列者がお焼香、お清めのみであり、又図５に図示した従来の手段での告別式に於いては葬儀の開始のときには故人の遺影を映写するスライド映写装置を介してのスライド画像、弔辞のときには故人の生前の活動を撮影したビデオ画像、葬儀の終了のときには故人の遺影を映写するスライド映写装置を介してのスライド画像を映写するようにしているものであり、途中から参列した場合には故人の生前の活動を撮影したビデオ画像みることができず、故人の生前の活動を知ることができないものである。
【０００６】
又式次第にあわせて１回だけの故人の紹介では参列者が故人を深く理解し、偲ぶには不充分であり、その結果、葬儀参列者の記憶に故人を鮮明に印象付けることができないものであり、更に故人の遺影をスクリーン２０に映写するスライド映写装置と故人の生前の活動を撮影したビデオ画像をスクリーン２０に映写するビデオ映写装置とを備えてスライド映像及びビデオ映像を映写する映写装置２１を設け、これら２種の映写装置２１による映写を葬儀の進行に合わせて切り換える切替手段を備えたために２種の映写装置２１を操作するために熟練した葬儀場に於ける操作担当者と葬儀場に於ける葬儀進行担当者の２人が葬儀場の現場に必要として人件費が高くなり、葬儀費用が嵩み、更に葬儀場の準備並びに後片付けを短時間で行うことが出来ず、又更に葬儀費用を低コストに抑えることができない等の欠点があった。
【０００７】
この発明は上記の問題点を解決したもので、葬儀の雰囲気を助長する葬儀用効果音を発すると共に故人の生前の写真や故人の生前の活動を短時間にまとめた形で映像として表示し、その映像の上に故人の生前の経歴や遺族のお礼の文章として表示し、又その経歴及び喪主等の遺族から参列者に対してのお礼の文章の文面と同じ文言の音声を録音しておくと共に再生する葬儀用装置体を祭壇、受付、通路、お清めの席など参列者の目につく表示場所部に設置してその映像を流すことによって、葬儀にとって重要な要素である厳粛な雰囲気を壊すことなく参列者に故人を深く印象付け、しかも映像及び音声を通じて喪主等の遺族から参列者に対してお礼を伝えることができるようにしたものであり、更に葬儀場に於ける葬儀進行担当者以外に葬儀場での映写装置の熟練した操作担当者を派遣する必要がなく、葬儀場の準備並びに後片付けを短時間で行うことが出来ると共に葬儀費用を低コストに抑えることができて使用上極めて好適な葬儀用装置体及び葬儀方法を得ることを目的としたものである。
【０００８】
【問題点を解決するための手段】
上記の目的を達成するためのこの発明は、本体１、キーボード２、マウス３、ディスプレイ４、スピーカ体５、マイク等の音声入力部材体６、スキャナ７及び本体１にコントロールソフトウェアを備えたホストパソコン装置体９を設け、且つディスプレイ４は生前の故人の趣味の画像１０又は画像１０内に故人の遺影１１等を入れた固定映像１６を表示するように形成すると共にスピーカ体５は葬儀の雰囲気を助長する葬儀用効果音の音声を発するように形成し、更にホストパソコン装置体９と電話回線を介して接続されて葬儀場に設置する葬儀場用ディスプレイ１７と葬儀場用スピーカ体１８とを設け、且つ又葬儀場用ディスプレイ１７はディスプレイ４と同一の固定映像１６を表示し、葬儀場用スピーカ体１８はスピーカ体５と同一の音声を発するようにすると共に音声を消音又は小音とすることができるようにしたしたものである。
【０００９】
又ディスプレイ４に故人の履歴・業績等の経歴を記載した経歴文章１３が繰返し流れるように表示されると共に葬儀場用ディスプレイ１７にディスプレイ４と同一の経歴文章１３を表示されるように形成したものである。
【００１０】
又ディスプレイ４に喪主等の遺族のお礼の言葉を記載したお礼文章１４が繰返し流れるように表示されると共に葬儀場用ディスプレイ１７にディスプレイ４と同一のお礼文章１４が表示されるように形成したものである。
【００１１】
又マイク等の音声入力部材体６を介しての経歴文章１３の文言を録音するに伴い葬儀用効果音を消音又は小音とすると共に経歴文章１３と同文でマイク等の音声入力部材体６を介して本体１に録音した音声がディスプレイ４の経歴文章１３の表示に沿ってスピーカ体５より繰返し再生され、更に葬儀場用ディスプレイ１７にディスプレイ４と同一の経歴文章１３を表示されると共に葬儀場用スピーカ体１８はスピーカ体５と同一の音声を発するように形成したものである。
【００１２】
又マイク等の音声入力部材体６を介してのお礼文章１４の文言を録音するに伴い葬儀用効果音を消音又は小音とすると共にお礼文章１４と同文でマイク等の音声入力部材体６を介して本体１に録音した音声がディスプレイ４のお礼文章１４の表示に沿ってスピーカ体５より繰返し再生され、更に葬儀場用ディスプレイ１７にディスプレイ４と同一のお礼文章１４を表示されると共に葬儀場用スピーカ体１８はスピーカ体５と同一の音声を発するように形成したものである。
【００１３】
又コントロールソフトウェアを装着する本体１、キーボード２、マウス３、ディスプレイ４、スピーカ体５、マイク等の音声入力部材体６及びスキャナ７を備えたホストパソコン装置体９を設ける手段と、ホストパソコン装置体９の本体１にキーボード２、マウス３、スキャナ７の操作に伴い生前の故人の趣味の画像１０又は画像１０内に故人の遺影１１等を入れた固定映像１６を入力する手段と、故人の履歴・業績等の経歴が繰返し流れるように表示される経歴文章１３又は喪主等の遺族のお礼の言葉が繰返し流れるように表示されるお礼文章１４の何れかがディスプレイ４に表示されるように入力する手段と、マイク等の音声入力部材体６の操作に伴い葬儀の雰囲気を助長する葬儀用効果音の音声がスピーカ体５より発することができるように入力する手段と、ディスプレイ４の表示と同一の固定映像１６、経歴文章１３、お礼文章１４とを表示する葬儀場用ディスプレイ１７とスピーカ体５と同一の音声を発する葬儀場用スピーカ体１８とを電話回線を介してホストパソコン装置体９と接続する手段と、ホストパソコン装置体９の操作に伴いディスプレイ４に表示されている固定映像１６、経歴文章１３、お礼文章１４の表示切替えと共に葬儀場用ディスプレイ１７に表示されている固定映像１６、経歴文章１３、お礼文章１４の表示切替えを行う手段と、スピーカ体５及び葬儀場用スピーカ体１８から発する音声を消音又は小音とする手段とより成るものである。
【００１４】
【実施例】
以下図面についてこの発明の実施例を説明すると、本体１、キーボード２、マウス３、ディスプレイ４、スピーカ体５、マイク等の音声入力部材体６、スキャナ７及び本体１にコントロールソフトウェアを備えたホストパソコン装置体９を設け、且つディスプレイ４は生前の故人の趣味の画像１０又は画像１０内に故人の遺影１１等を入れた固定映像１６を表示するように形成すると共にスピーカ体５は葬儀の雰囲気を助長する葬儀用効果音の音声を発するように形成し、更にホストパソコン装置体９と電話回線を介して接続されて葬儀場に設置する葬儀場用ディスプレイ１７と葬儀場用スピーカ体１８とを設け、且つ又葬儀場用ディスプレイ１７はディスプレイ４と同一の固定映像１６を表示し、葬儀場用スピーカ体１８はスピーカ体５と同一の音声を発するように形成したものであり、更に葬儀場用ディスプレイ１７と葬儀場用スピーカ体１８とは祭壇、受付、通路、お清めの席など參列者の目につく表示場所部１２に設けた載置台１５に設置したものであり、又更にホストパソコン装置体９はデジタルカメラ８を介しても画像を入力できるものであり、且つ又葬儀用効果音の消音又は小音の音量調節は本体１、ディスプレイ４、スピーカ体５、葬儀場用ディスプレイ１７又は葬儀場用スピーカ体１８等に備えた音量調節部（図示せず）の操作によって行うことが出来るものである。
【００１５】
又ディスプレイ４に故人の履歴・業績等の経歴を記載した経歴文章１３が繰返し流れるように表示されると共に葬儀場用ディスプレイ１７にディスプレイ４と同一の経歴文章１３を表示されるように形成したもので、キーボード２とマウス３の操作で入力するものである。
【００１６】
又ディスプレイ４に喪主等の遺族のお礼の言葉を記載したお礼文章１４が繰返し流れるように表示されると共に葬儀場用ディスプレイ１７にディスプレイ４と同一のお礼文章１４が表示されるように形成したもので、キーボード２とマウス３の操作で入力するものである。
【００１７】
又マイク等の音声入力部材体６を介しての経歴文章１３の文言を録音すると共に経歴文章１３と同文でマイク等の音声入力部材体６を介して本体１に録音した音声がディスプレイ４の経歴文章１３の表示に沿ってスピーカ体５より繰返し再生され、更に葬儀場用ディスプレイ１７にディスプレイ４と同一の経歴文章１３を表示されると共に葬儀場用スピーカ体１８はスピーカ体５と同一の音声を発するように形成したもので、且つ経歴文章１３の文言の音声の消音又は小音の音量調節は本体１、ディスプレイ４、スピーカ体５、葬儀場用ディスプレイ１７又は葬儀場用スピーカ体１８等に備えた音量調節部（図示せず）の操作によって行うことが出来るものである。
【００１８】
又マイク等の音声入力部材体６を介してのお礼文章１４の文言を録音すると共にお礼文章１４と同文でマイク等の音声入力部材体６を介して本体１に録音した音声がディスプレイ４のお礼文章１４の表示に沿ってスピーカ体５より繰返し再生され、更に葬儀場用ディスプレイ１７にディスプレイ４と同一のお礼文章１４を表示されると共に葬儀場用スピーカ体１８はスピーカ体５と同一の音声を発するように形成したもので、且つお礼文章１４の文言の音声の消音又は小音の音量調節は本体１、ディスプレイ４、スピーカ体５、葬儀場用ディスプレイ１７又は葬儀場用スピーカ体１８等に備えた音量調節部（図示せず）の操作によって行うことが出来るものである。
【００１９】
又分岐回路（図示せず）を介して数台の葬儀場用ディスプレイ１７と葬儀場用スピーカ体１８とを数か所の祭壇、受付、通路、お清めの席など參列者の目につく表示場所部１２に設置して同時に同一内容のものを送ることが出来るものである。
【００２０】
又コントロールソフトウェアを装着する本体１、キーボード２、マウス３、ディスプレイ４、スピーカ体５、マイク等の音声入力部材体６及びスキャナ７を備えたホストパソコン装置体９を設ける手段と、ホストパソコン装置体９の本体１にキーボード２、マウス３、スキャナ７の操作に伴い生前の故人の趣味の画像１０又は画像１０内に故人の遺影１１等を入れた固定映像１６を入力する手段と、故人の履歴・業績等の経歴が繰返し流れるように表示される経歴文章１３又は喪主等の遺族のお礼の言葉が繰返し流れるように表示されるお礼文章１４の何れかがディスプレイ４に表示されるように入力する手段と、マイク等の音声入力部材体６の操作に伴い葬儀の雰囲気を助長する葬儀用効果音の音声がスピーカ体５より発することができるように入力する手段と、ディスプレイ４の表示と同一の固定映像１６、経歴文章１３、お礼文章１４とを表示する葬儀場用ディスプレイ１７とスピーカ体５と同一の音声を発する葬儀場用スピーカ体１８とを電話回線を介してホストパソコン装置体９と接続する手段と、ホストパソコン装置体９の操作に伴いディスプレイ４に表示されている固定映像１６、経歴文章１３、お礼文章１４の表示切替えと共に葬儀場用ディスプレイ１７に表示されている固定映像１６、経歴文章１３、お礼文章１４の表示切替えを行う手段と、スピーカ体５及び葬儀場用スピーカ体１８から発する音声を消音又は小音とする手段とより成るもので、パソコン操作になれている技術者が葬儀に必要な固定映像１６、経歴文章１３、お礼文章１４、音声の編集入力をホストパソコン装置体９に行うと共に葬儀場用ディスプレイ１７と葬儀場用スピーカ体１８とを電話回線を介してホストパソコン装置体９と接続するのみの操作を行うのみであるのでホストパソコン装置体９への編集入力がパソコン操作に習熟している技術者が葬儀の現場に赴くことなくホストパソコン装置体９が設置場所に居て、葬儀進行担当者とは携帯電話等の通信手段を用いて連絡して葬儀を進行させることができるものである。
【００２１】
【発明の作用効果】
この発明は以上のような構成であり、本体１、キーボード２、マウス３、ディスプレイ４、スピーカ体５、マイク等の音声入力部材体６、スキャナ７及び本体１にコントロールソフトウェアを備えたホストパソコン装置体９を設け、且つディスプレイ４は生前の故人の趣味の画像１０又は画像１０内に故人の遺影１１等を入れた固定映像１６を表示するように形成すると共にスピーカ体５は葬儀の雰囲気を助長する葬儀用効果音の音声を発するように形成し、更にホストパソコン装置体９と電話回線を介して接続されて葬儀場に設置する葬儀場用ディスプレイ１７と葬儀場用スピーカ体１８とを設け、且つ又葬儀場用ディスプレイ１７はディスプレイ４と同一の固定映像１６を表示し、葬儀場用スピーカ体１８はスピーカ体５と同一の音声を発するようにすると共に音声を消音又は小音とすることができるようにしたので葬儀場用ディスプレイ１７と葬儀場用スピーカ体１８とを祭壇、受付、通路、お清めの席など參列者の目につく表示場所部１２に設置したものである。
【００２２】
よって．参列者の中で故人と直接面識がなく喪主や遺族との関係で参列した人も故人の遺影１１を見て故人を知り、深く理解して故人を偲ぶことができ、更に葬儀用効果音を聞いて厳かな雰囲気で葬儀を行うことができるものである。
【００２３】
又生前の故人の趣味の画像１０と該画像１０内に故人の遺影１１を表示するようにしたので参列者でお清めの席などで人伝えに画像１０が生前の故人の趣味の画像１０であること知れば遺影１１と相俟ってより故人の生前の面影をより深く偲ぶことができものである。
【００２４】
又葬儀に際しては喪主等の遺族以外には参列者に面識がなく退屈するようなことがあるが、葬儀場用ディスプレイ１７に故人の履歴・業績等の経歴を記載した経歴文章１３が繰返し流れるように表示されるようにしたこと、又マイク体６を介しての経歴文章１３の文言を録音するに伴い葬儀用効果音を消音又は小音とすると共に経歴文章１３と同文でマイク体６を介して録音した音声が経歴文章１３の表示に沿って葬儀場用スピーカ体１８より繰返し再生されるようにしたことによって故人の経歴をより知ることができて葬儀の場で退屈するようなことがないものであり、又故人との関係であっても参列者は故人の一部を知るだけであることが普通であり、故人の履歴・業績等の経歴を少しでも解ってもらい偲んでもらうことができるものである。
【００２５】
又葬儀の場合、式が始まると喪主や遺族は祭壇の前を離れることができないためにご焼香に来た参列者に挨拶やお礼すら言うことが出来ないものであるが、葬儀場用ディスプレイ１７に遺族のお礼の言葉を記載したお礼文章１４が繰返し流れるように表示されるようにようにしたこと、又マイク等の音声入力部材体６を介してお礼文章１４の文言を録音すると共にお礼文章１４と同文でマイク等の音声入力部材体６を介して録音した音声がお礼文章１４の表示に沿って葬儀場用スピーカ体１８より繰返し再生されるようにしたことによって喪主、遺族のからのお礼を随時伝えることができるものである。
【００２６】
即ち．葬儀の場合、突然のことで前もって予定することが出来ないために式の途中や終了後に弔問する人も多い、葬儀の開始時から参列していれば弔辞その他で故人の生前のことなどある程度は分かるが途中から来た人に対して１人ひとりにお礼や故人のことを説明しているわけにはいかないものであるが、数台の葬儀場用ディスプレイ１７と葬儀場用スピーカ体１８とを数か所の祭壇、受付、通路、お清めの席など參列者の目につく表示場所部１２に設置して同時に同一内容のものを送ることが出来るものであり、葬儀に伴う故人の経歴のことや喪主等の遺族のからのお礼を随時伝えることができて使用上好都合である。
【００２７】
又コントロールソフトウェアを装着する本体１、キーボード２、マウス３、ディスプレイ４、スピーカ体５、マイク等の音声入力部材体６及びスキャナ７を備えたホストパソコン装置体９を設ける手段と、ホストパソコン装置体９の本体１にキーボード２、マウス３、スキャナ７の操作に伴い生前の故人の趣味の画像１０又は画像１０内に故人の遺影１１等を入れた固定映像１６を入力する手段と、故人の履歴・業績等の経歴が繰返し流れるように表示される経歴文章１３又は喪主等の遺族のお礼の言葉が繰返し流れるように表示されるお礼文章１４の何れかがディスプレイ４に表示されるように入力する手段と、マイク等の音声入力部材体６の操作に伴い葬儀の雰囲気を助長する葬儀用効果音の音声がスピーカ体５より発することができるように入力する手段と、ディスプレイ４の表示と同一の固定映像１６、経歴文章１３、お礼文章１４とを表示する葬儀場用ディスプレイ１７とスピーカ体５と同一の音声を発する葬儀場用スピーカ体１８とを電話回線を介してホストパソコン装置体９と接続する手段と、ホストパソコン装置体９の操作に伴いディスプレイ４に表示されている固定映像１６、経歴文章１３、お礼文章１４の表示切替えと共に葬儀場用ディスプレイ１７に表示されている固定映像１６、経歴文章１３、お礼文章１４の表示切替えを行う手段と、スピーカ体５及び葬儀場用スピーカ体１８から発する音声を消音又は小音とする手段とより成るもので、パソコン操作になれている技術者が葬儀に必要な固定映像１６、経歴文章１３、お礼文章１４、音声の編集入力をホストパソコン装置体９に行うと共に葬儀場用ディスプレイ１７と葬儀場用スピーカ体１８とを電話回線を介してホストパソコン装置体９と接続する操作を行うのみであるので葬儀を効果的に行うための編集入力がパソコン操作に習熟している技術者が葬儀の現場に赴くことなくホストパソコン装置体９が設置場所に居て、葬儀進行担当者とは携帯電話等の通信手段を用いて連絡して葬儀を円滑に進行させることができるものである。
【００２８】
以上のようにこの発明は構造が極めて簡単であり、大量生産に適し安価に提供できると共に簡便な操作で使用することができるものであり、更に葬儀の雰囲気を助長する葬儀用効果音を発すると共に故人の生前の写真や故人の生前の活動を短時間にまとめた形で映像として表示し、その映像の上に故人の生前の経歴や遺族のお礼の文章として表示し、又その経歴及び喪主等の遺族から参列者に対してのお礼の文章の文面と同じ文言の音声を録音しておく操作と共に再生する葬儀場用ディスプレイ１７と葬儀場用スピーカ体１８とを祭壇、受付、通路、お清めの席など参列者の目につく表示場所部に設置してその映像を流すことによって、葬儀にとって重要な要素である厳粛な雰囲気を壊すことなく参列者に故人を深く印象付けことができるようにしたものであり、更に葬儀場に於ける葬儀進行担当者以外に葬儀場での映写装置の熟練した操作担当者を派遣する必要がなく、葬儀場の準備並びに後片付けを短時間で行うことが出来ると共に葬儀費用を低コストに抑えることができて使用上極めて好適な手段によって葬儀を行うことができる等の幾多の産業的作用効果を奏し得るものである。
【図面の簡単な説明】
【図１】ホストパソコン装置体の概略説明図である。
【図２】表示場所部に葬儀場用ディスプレイ及び葬儀場用マイク体を備えた状態を示した正面図である。
【図３】ホストパソコン装置体に備えたディスプレイ及び表示場所部に備えた葬儀場用ディスプレイに固定映像、経歴文章を表示した状態を示した正面図である。
【図４】ホストパソコン装置体に備えたディスプレイ及び表示場所部に備えた葬儀場用ディスプレイに固定映像、お礼文章を表示した状態を示した正面図である。
【図５】従来例の説明図である。
【符号の説明】
１　本体
２　キーボード
３　マウス
４　ディスプレイ
５　スピーカ体
６　音声入力部材体
７　スキャナ
８　デジタルカメラ
９　ホストパソコン装置体
１０　画像
１１　遺影
１２　表示場所部
１３　経歴文章
１４　お礼文章
１５　載置台
１６　固定映像
１７　葬儀場用ディスプレイ
１８　葬儀場用スピーカ体
【図１】
2004016382.tif 000003
【図２】
2004016382.tif 000004
【図３】
2004016382.tif 000005
【図４】
2004016382.tif 000006
【図５】
2004016382.tif 000007